(57)【要約】      （修正有）【課題】空気抵抗力を利用した発電機能を備える発電機能付きパラシュートを提供する。【解決手段】パラシュート本体１０と、少なくとも一つの羽根発電装置２０と、電力収集装置３０と、を含む。パラシュート本体１０は、傘体１１とハーネス部１２を備える。傘体１１の外周縁には、さらに羽根配置部１１１が設けらる。少なくとも一つの羽根発電装置２０は、複数の羽根を備え、風の力で羽根が回転することによって羽根発電装置１１１の動力シャフトを回転駆動させ、その回転動力を電力に変換する。電力収集装置３０は、ハーネス部１２に固定される。スカイダイバーがスカイダイビング期間に、落下する時の空気抵抗による風の力によって、羽根発電装置２０の動力シャフトを回転駆動させ、その回転動力を電力に変換して保存し、または他の補助装置に利用されることができる。【選択図】図１
0003195753.tif 000002
【実用新案登録請求の範囲】
【請求項１】
パラシュート本体と、少なくとも一つの羽根発電装置と、電力収集装置と、を含む発電機能付きパラシュートであって、
前記パラシュート本体は、傘体とハーネス部を備え、前記傘体はスカイダイビング期間に展開して面積を拡大し、空気抵抗によってスカイダイバーの落下速度を下げ、前記傘体の外周縁には、さらに羽根配置部が設けられ、前記ハーネス部は複数のラインを介して前記傘体に接続されると共に、スカイダイバーの体に固定され、
前記少なくとも一つの羽根発電装置は、前記羽根配置部に対応して設けられると共に、複数の羽根を備え、風の力で前記羽根が回転することによって前記羽根発電装置の動力シャフトを回転駆動させ、その回転動力を電力に変換し、
前記電力収集装置は、前記ハーネス部に固定されると共に、前記羽根発電装置に電気的に接続され、その電力を収集することを特徴とする、発電機能付きパラシュート。
【請求項２】
前記傘体が長尺形または円形であることを特徴とする、請求項１に記載の発電機能付きパラシュート。
【請求項３】
前記羽根配置部は複数であると共に、前記傘体において前記傘体の中心に対して対称するように分布されることを特徴とする、請求項１に記載の発電機能付きパラシュート。
【請求項４】
前記羽根配置部の数は、２つであることを特徴とする、請求項３に記載の発電機能付きパラシュート。
【請求項５】
前記羽根発電装置は、選択的に前記羽根配置部から取り外し可能であることを特徴とする、請求項１に記載の発電機能付きパラシュート。
【請求項６】
前記電力収集装置は、蓄電バッテリーであることを特徴とする、請求項１に記載の発電機能付きパラシュート。
【請求項７】
前記電力収集装置は、電力を消費する電気装置であることを特徴とする、請求項１に記載の発電機能付きパラシュート。
【請求項８】
前記電力収集装置は、サーチライト装置、ＧＰＳ測位装置、または通信装置であることを特徴とする、請求項１に記載の発電機能付きパラシュート。
【請求項９】
前記ハーネス部には、ストラップまたはベルトを備えることを特徴とする、請求項１に記載の発電機能付きパラシュート。
【考案の詳細な説明】
【技術分野】
【０００１】
本考案は、発電機能付きパラシュートに係り、特に、空気抵抗力を利用して発電機能を提供するパラシュート構造に関する。
【背景技術】
【０００２】
パラシュートは、使用者が空中から降下する時に、主傘を展開することで、空気の力を受けて落下速度を下げることが可能になる安全装置である。
【０００３】
そこで、スカイダイビングの落下高さは一般的に非常に高いので、もしこの落下の過程において風の力を効率的に利用すれば、かなりの発電効果が期待されるが、現在の技術ではまだスカイダイビングの過程を利用する動力発電の応用が考案されていない。
【考案の概要】
【０００４】
本考案は、新規性、進歩性及び産業上の利用可能性という特許の要件を備えた発電機能付きパラシュートを提供する。
【０００５】
本考案が採用する技術手段は、パラシュート本体と、少なくとも一つの羽根発電装置と、電力収集装置とを含み、前記パラシュート本体は、傘体とハーネス部を備え、前記傘体はスカイダイビング期間に展開して面積を拡大し、空気抵抗によってスカイダイバーの落下速度を下げ、前記傘体の外周縁には、さらに羽根配置部が設けられ、前記ハーネス部は複数のラインを介して前記傘体に接続されると共に、スカイダイバーの体に固定され、前記少なくとも一つの羽根発電装置は、前記羽根配置部に対応して設けられると共に、複数の羽根を備え、風の力で前記羽根が回転することによって前記羽根発電装置の動力シャフトを回転駆動させ、その回転動力を電力に変換し、前記電力収集装置は、前記ハーネス部に固定されると共に、前記羽根発電装置に電気的に接続され、その電力を収集することを特徴とする発電機能付きパラシュートを設計する。
【０００６】
その中、前記羽根配置部は複数であると共に、前記傘体において前記傘体の中心に対して対称するように分布される。
【０００７】
その中、前記羽根配置部の数は２つである。
【０００８】
その中、前記羽根発電装置は、選択的に前記羽根配置部から取り外し可能である。
【０００９】
本考案に係る発電機能付きパラシュートは、その設計上の配置と構造を利用して、スカイダイバーがスカイダイビング期間に風の力で羽根発電装置の動力シャフトを回転駆動させ、その回転動力を電力に変換して保存し、または他の補助装置に利用されることができる。
【図面の簡単な説明】
【００１０】
【図１】本考案の発電機能付きパラシュートの外観を示す模式図。
【図２】本考案の発電機能付きパラシュートの実施例を示す模式図。
【考案を実施するための形態】
【００１１】
図１及び図２を参照して、本考案が提出する発電機能付きパラシュートの一つの好適な実施例は、パラシュート本体１０と、少なくとも一つの羽根発電装置２０と、電力収集装置３０とを備える。
【００１２】
前記パラシュート本体１０は、傘体１１とハーネス部１２を備える。
【００１３】
前記傘体１１は、スカイダイビング期間に展開して面積を拡大し、空気抵抗によってスカイダイバーの落下速度を下げることができる。前記傘体１１は、長尺形、円形、または他の形状にすることもできるが、本明細書においては長尺形のものを例として説明する。また、前記傘体１１の外周縁には、さらに少なくとも一つの羽根配置部１１１が設けられ、その羽根配置部１１１が複数である時は、重量のバランスを保つように前記傘体１１において前記傘体１１の中心に対して対称するように分布されることになり、図示では２つの羽根配置部１１１を例示する。
【００１４】
その中、前記ハーネス部１２は複数のラインを介して前記傘体１１に接続されると共に、前記ハーネス部１２はスカイダイバーの体に固定することができる。また、前記ハーネス部１２には、より安定に固定するためのストラップ、ベルト等の補助固定構造を備えることもできる。
【００１５】
前述の羽根発電装置２０は、複数の羽根を備え、風の力で前記羽根が回転することによって前記羽根発電装置２０の動力シャフトを回転させ、その回転動力を電力に変換することができる。前記羽根発電装置２０は、前記羽根配置部１１１に対応して設けられ、或いは選択的に前記羽根配置部１１１から取り外し可能となるように配置することができる。
【００１６】
前述の電力収集装置３０は、前記ハーネス部１２に固定されると共に、前記羽根発電装置２０に電気的に接続され、その電力を収集することができる。その中、一つの好適な実施例において、前記電力収集装置３０は蓄電バッテリーであるため、スカイダイバーがスカイダイビング期間において風の動力を電力に変換して保存することを提供する。また、他の実施態様では、前記電力収集装置３０は電力を消費する電気装置にすることもできる、例えば、サーチライト装置、ＧＰＳ測位装置、または通信装置等、スカイダイバーがスカイダイビングする時のアシスタント機能として応用できる。
【００１７】
本考案に係る発電機能付きパラシュートによれば、スカイダイバーがスカイダイビング期間に風の力で羽根発電装置２０の動力シャフトを回転駆動させ、その回転動力を電力に変換して保存し、または他の補助装置に利用されることができる。
【符号の説明】
【００１８】
１０…パラシュート本体
１１…傘体
１１１…羽根配置部
１２…ハーネス部
２０…羽根発電装置
３０…電力収集装置
【図１】
0003195753.tif 000003
【図２】
0003195753.tif 000004